(57)【要約】【課題】光学式マウスに脈波計測の機能を搭載し、日常生活における自己の生体情報を気軽に認識できるようにした光学式マウスを提供。【解決手段】発光部１とこれに対応するイメージセンサ（受光部）２とを備えた光学式マウスであって、指先５からの反射光を受光部２で検出するときに、受光部２を構成する全ての受光素子または所定の一部の受光素子の信号電荷を一括して読み出し、この一括して読み出した信号電荷に基づいて脈波を検出する検出処理手段を、備えている。【選択図】図１
2008204388.tif 000002
【特許請求の範囲】
【請求項１】
発光部とこれに対応する受光部とを備えた光学式マウスであって、
指先からの反射光を前記受光部で検出するときに、前記受光部を構成する全ての受光素子または所定の一部の受光素子の信号電荷を一括して読み出す検出処理手段を、
備えていることを特徴とする光学式マウス。
【請求項２】
発光部とこれに対応する受光部とを備えた光学式マウスであって、
前記発光部からの光を指先で透過させ、この透過光を前記受光部で検出する構成を設けるようにし、
かつ、前記受光部が前記透過光を検出をするときに、前記受光部を構成する全ての受光素子または所定の一部の受光素子の信号電荷を一括して読み出す検出処理手段を、
備えていることを特徴とする光学式マウス。
【請求項３】
前記検出処理手段は、さらに、前記一括して読み出した信号電荷に基づいて脈波を検出することを特徴とする請求項１又は請求項２に記載の光学式マウス。
【請求項４】
発光部とこれに対応する受光部とを備えた光学式マウスであって、
前記受光部を構成する各受光素子の位置を選択する選択手段と、
前記選択手段で選択された受光素子からの信号電荷を読み出す信号読み出し手段と、
マウスモードが選択されているときには、前記選択手段が前記受光部の各受光素子を順次選択し、前記信号読み出し手段がその選択された受光素子の信号電荷を順に読み出し、脈波測定モードが選択されているときには、前記選択手段が前記受光部の全ての受光素子またはそのうちの一部の受光素子を選択し、前記信号読み出し手段が選択された受光素子の信号電荷を一括して読み出すように、前記選択手段および前記信号読み出し手段をそれぞれ制御する制御手段と、
を備えていることを特徴とする光学式マウス。
【請求項５】
発光部とこれに対応する受光部とを備えた光学式マウスであって、
前記発光部からの光を指先で透過させ、この透過光を前記受光部で検出する構成を設けるとともに、
前記受光部を構成する各受光素子の位置を選択する選択手段と、
前記選択手段で選択された受光素子からの信号電荷を読み出す信号読み出し手段と、
マウスモードが選択されているときには、前記選択手段が前記受光部の各受光素子を順次選択し、前記信号読み出し手段がその選択された受光素子の信号電荷を順に読み出し、脈波測定モードが選択されているときには、前記選択手段が前記受光部の全ての受光素子またはそのうちの一部の受光素子を選択し、前記信号読み出し手段が選択された受光素子の信号電荷を一括して読み出すように、前記選択手段および前記信号読み出し手段をそれぞれ制御する制御手段と、
を備えていることを特徴とする光学式マウス。
【請求項６】
前記マウスモードが選択されているときには、信号読み出し手段が読み出した信号電荷に基づいてマウスの移動距離および位置をそれぞれ算出する第１信号処理手段と、
前記脈波測定モードが選択されているときには、信号読み出し手段が読み出した信号電荷に基づいて脈波を測定する第２信号処理手段と、
をさらに備えていることを特徴とする請求項４又は請求項５に記載の光学式マウス。
【請求項７】
前記マウスモードと前記脈波測定モードとのうちの一方を選択するモード選択スイッチを、さらに備えていることを特徴とする請求項４乃至請求項６のうちのいずれかに記載の光学式マウス。
【発明の詳細な説明】
【技術分野】
【０００１】
本発明は、発光部と受光部（イメージセンサ）とを備えた光学式マウスに関し、特に脈波計測の機能を搭載した光学式マウスに関するものである。
【背景技術】
【０００２】
従来、医療機器の分野では、人間の脈波を計測できる生体計測装置が知られている。この生体計測装置は、発光部と受光部とを備え、以下のようにしてその脈波測定を行うようになっている。
発光部からの光を人間の皮膚の薄い部分の毛細血管に照射し、血管内の赤血球（ヘモグロビン）が、その照射光に反応して、吸収、反射、透過する。このため、その反射光を受光部で受光することにより、心臓心筋運動に応じた波形（脈波）がモニタでき、そのモニタ波形により、脈拍数、血管年齢を計算式により算出する。
【０００３】
また、透過光を受光部で受光することにより、心臓心筋運動に応じた波形がモニタでき、そのモニタ波形により、脈拍数、血中酸素飽和濃度を計算式により算出する。
一方、従来、光学式マウスとしては、例えばスキャナ機能を搭載し、画像情報として取り込んだ文書や名刺などの情報を文字情報として認識し、キーボードなどの入力装置から入力された文字情報と同等に扱うことができるようにしたものが知られている（特許文献１参照）。
【特許文献１】特開２００５−７８５１５号公報
【発明の開示】
【発明が解決しようとする課題】
【０００４】
しかし、従来の生体計測装置は、医療機器であって医院や病院などが所有するものであるので、持ち運びが不可能で携帯性が悪く、日常生活においてリアルタイム計測ができないという不具合がある。
また、医療機器のため、高価で一般家庭に普及しておらず、日常生活における健康管理の予防に利用できない。さらに、日常生活において気軽に使用して、自己の生体情報を認識できない。
【０００５】
一方、光学式マウスは、生体計測装置と同様に発光部と受光部（イメージセンサ）とを備えている上に、パーソナルコンピュータの普及に伴い、その入力装置として普及している。このため、光学式マウスに、脈波計測の機能を搭載すれば、上記の不具合が一挙に解決できると考えられる。
そこで、本発明の目的は、光学式マウスに脈波計測の機能を搭載し、日常生活における自己の生体情報を気軽に認識できるようにした光学式マウスを提供することにある。
【課題を解決するための手段】
【０００６】
上記の課題を解決し本発明の目的を達成するために、各発明は、以下のような構成からなる。
第１の発明は、発光部とこれに対応する受光部とを備えた光学式マウスであって、指先からの反射光を前記受光部で検出するときに、前記受光部を構成する全ての受光素子または所定の一部の受光素子の信号電荷を一括して読み出す検出処理手段を、備えている。
【０００７】
第２の発明は、発光部とこれに対応する受光部とを備えた光学式マウスであって、前記発光部からの光を指先で透過させ、この透過光を前記受光部で検出する構成を設けるようにし、かつ、前記受光部が前記透過光を検出をするときに、前記受光部を構成する全ての受光素子または所定の一部の受光素子の信号電荷を一括して読み出す検出処理手段を、備えている。
第３の発明は、第１または第２の発明において、前記検出処理手段は、さらに、前記一括して読み出した信号電荷に基づいて脈波を検出するようになっている。
【０００８】
第４の発明は、発光部とこれに対応する受光部とを備えた光学式マウスであって、前記受光部を構成する各受光素子の位置を選択する選択手段と、前記選択手段で選択された受光素子からの信号電荷を読み出す信号読み出し手段と、マウスモードが選択されているときには、前記選択手段が前記受光部の各受光素子を順次選択し、前記信号読み出し手段がその選択された受光素子の信号電荷を順に読み出し、脈波測定モードが選択されているときには、前記選択手段が前記受光部の全ての受光素子またはそのうちの一部の受光素子を選択し、前記信号読み出し手段が選択された受光素子の信号電荷を一括して読み出すように、前記選択手段および前記信号読み出し手段をそれぞれ制御する制御手段と、を備えている。
【０００９】
第５の発明は、発光部とこれに対応する受光部とを備えた光学式マウスであって、前記発光部からの光を指先で透過させ、この透過光を前記受光部で検出する構成を設けるとともに、前記受光部を構成する各受光素子の位置を選択する選択手段と、前記選択手段で選択された受光素子からの信号電荷を読み出す信号読み出し手段と、マウスモードが選択されているときには、前記選択手段が前記受光部の各受光素子を順次選択し、前記信号読み出し手段がその選択された受光素子の信号電荷を順に読み出し、脈波測定モードが選択されているときには、前記選択手段が前記受光部の全ての受光素子またはそのうちの一部の受光素子を選択し、前記信号読み出し手段が選択された受光素子の信号電荷を一括して読み出すように、前記選択手段および前記信号読み出し手段をそれぞれ制御する制御手段と、を備えている。
【００１０】
第６の発明は、第４または第５の発明において、前記マウスモードが選択されているときには、信号読み出し手段が読み出した信号電荷に基づいてマウスの移動距離および位置をそれぞれ算出する第１信号処理手段と、前記脈波測定モードが選択されているときには、信号読み出し手段が読み出した信号電荷に基づいて脈波を測定する第２信号処理手段と、をさらに備えている。
【００１１】
第７の発明は、第４〜第６の発明において、前記マウスモードと前記脈波測定モードとのうちの一方を選択するモード選択スイッチを、さらに備えている。
以上のように本発明は、従来の光学式マウスに脈波計測の機能を搭載させるようにした。このため、本発明によれば、安価に制作でき、一般家庭に普及させることができるので、日常生活における自己の生体情報を気軽に認識できるようになる。
【発明を実施するための最良の形態】
【００１２】
以下、本発明の実施形態について、図面を参照して説明する。
（第１実施形態）
本発明の第１実施形態は、光学式反射センサを用いた光学式マウスであり、マウスモード（マウス機能）が選択されているときには、従来と同様にマウスパッドからの反射光を検出することにより、マウスの移動方向およびその位置を検出する。一方、脈波測定モード（脈波測定機能）が選択されているときには、指先からの反射光を検出することにより、脈波を計測する。
【００１３】
図１は、本発明の第１実施形態の光学式反射センサの部分の構造例を示す概略断面図である。図２は、その第１実施形態の構成を示すブロック図である。
この第１実施形態の光学式反射センサは、図１に示すように、発光ダイオードなどからなる発光部１と、受光部である２次元のイメージセンサ２と、レンズ・プリズム３とを備え、これらがマウス本体４上の所定位置に配置されている。発光部１からの光は、レンズ・プリズム３によってマウスパッド（図示せず）または指先５の表面に案内されて反射され、この反射光がイメージセンサ２によって受光されるようになっている。
【００１４】
この第１実施形態は、図２に示すように、イメージセンサ２と、水平走査回路１１と、垂直走査回路１２と、信号読み出し回路１３と、制御回路１４と、第１信号処理回路１５と、第２信号処理回路１６と、モード選択スイッチ１７と、を備えている。
イメージセンサ２は、ＣＣＤイメージセンサまたはＣＭＯＳイメージセンサなどからなり、例えばｎ×ｎ個の受光素子がマトリクス状（縦横状）に配置されている。そして、その各受光素子は、入射光を信号電荷に変換し、その信号電荷を後述のように外部に取り出すようになっている。
【００１５】
水平走査回路１１および垂直走査回路１２は、イメージセンサ２を構成するｎ×ｎ個の受光素子を選択するものである。そして、モード選択スイッチ１７によってマウスモードが選択されたときには、ｎ×ｎ個の受光素子のうちの１つを順次選択する。また、モード選択スイッチ１７によって脈波測定モードが選択されたときには、ｎ×ｎ個の受光素子の全部を一括して（一度に）選択し、またはそのうちの一部を一括して選択するものである。
【００１６】
このため、水平走査回路１１は、制御回路１４からの信号Ｓ０ｘ〜Ｓｎｘなどによって、信号Ｑ０ｘ〜Ｑｎｘを生成する。また、垂直走査回路１２は、制御回路１４からの信号Ｓ０ｙ〜Ｓｎｙなどによって、信号Ｑ０ｙ〜Ｑｎｙを生成する。そして、それらの生成信号によって、上記の選択を行うようになっている。
信号読み出し回路１３は、水平走査回路１１と垂直走査回路１２で選択（指定）された受光素子の信号電荷を読み出すものである。
【００１７】
この信号読み出し回路１３は、モード選択スイッチ１７によってマウスモードが選択されているときには、イメージセンサ２の各受光素子からの信号電荷を順次読み出し、第１回路（図示せず）で、その読み出した信号電荷を順次電圧に変換して第１信号処理回路１５に供給する。また、信号読み出し回路１３は、モード選択スイッチ１７によって脈波測定モードが選択されているときには、イメージセンサ２の全ての受光素子からの信号電荷を一括して（一度に）読み出し、第２回路（図示せず）で、その一括して読み出した信号電荷を電圧に変換して第２信号処理回路１６に供給する。
【００１８】
したがって、信号読み出し回路１３は、マウスモードの際に使用する第１回路と、脈波測定モードの際に使用する第２回路とがあり、その両回路は制御回路１４によってその使用が制御（選択）されるようになっている。
制御回路１４は、モード選択スイッチ１７で選択されるマウスモードまたは脈波測定モードに応じて、水平走査回路１１、垂直走査回路１２、および信号読み出し回路１３を上記のようにそれぞれ制御する。
【００１９】
第１信号処理回路１５は、信号読み出し回路１３からの信号に基づき、マウスの移動方向およびその位置を検出する。第２信号処理回路１６は、信号読み出し回路１３からの信号に基づいて脈波を検出し、その検出によって各種の生体情報、例えば脈拍数や血管年齢などを算出する。
モード選択スイッチ１７は、ユーザがマウスモードまたは脈波測定モードの何れかを選択するものである。その選択されたモードは制御回路１４に入力され、制御回路１４はそのモードに応じて各部を制御する。
【００２０】
次に、このような構成からなる第１実施形態の動作について、図１および図２を参照して説明する。
まず、ユーザがモード選択スイッチによって、マウスモードを選択している場合について説明する。この場合には、イメージセンサ２は、マウスパッド（図示せず）からの反射光を受光する。
【００２１】
水平走査回路１１と垂直走査回路１２は、イメージセンサ２のｎ×ｎ個の受光素子のうちの１つを順次選択する。また、信号読み出し回路１３は、その選択された各受光素子からの信号電荷を順次読み出し、第１回路（図示せず）で、その読み出した信号電荷を電圧に変換して第１信号処理回路１５に供給する。第１信号処理回路１５は、信号読み出し回路１３からの信号に基づき、マウスの移動方向およびその位置を検出する。
【００２２】
次に、ユーザがモード選択スイッチによって、脈波測定モードを選択した場合について説明する。この場合には、ユーザは自分の指先５を、図１に示すように置くので、イメージセンサ２はその指先の表面からの反射光を受光する。
水平走査回路１１と垂直走査回路１２は、イメージセンサ２のｎ×ｎ個の受光素子の全部を一度に選択する。また、信号読み出し回路１３は、全ての受光素子からの信号電荷を一括して読み出し、第２回路（図示せず）で、その一括して読み出した信号電荷を電圧に変換して第２信号処理回路１６に供給する。第２信号処理回路１６は、信号読み出し回路１３からの信号に基づいて脈波を検出し、その検出によって各種の生体情報、例えば脈拍数や血管年齢などを算出する。
【００２３】
次に、図２に示す水平走査回路１１と垂直走査回路１２の具体例について、図３を参照して説明する。ここで、水平走査回路１１と垂直走査回路１２は同一回路で構成できるので、図３では水平走査回路１１ａの例で説明する。
この水平走査回路１１ａは、（ｎ＋１）個のＤ型フリップフロップ２１などから構成され、マウスモードが選択されているときにはシフトレジスタとして機能し、信号Ｑ０〜Ｑｎによってイメージセンサ２のｎ×ｎ個の受光素子の１つずつを選択する。また、脈波測定モードが選択されているときにはシフトレジスタとしては機能せず、信号Ｑ０〜Ｑｎによってイメージセンサ２のｎ×ｎ個の受光素子の全部を一括して選択する。
【００２４】
このために、水平走査回路１１ａは、（ｎ＋１）個のＤ型フリップフロップ２１と、１段目のＤ型フリップフロップ２１の入力側に配置される２入力のオアゲート２２、２３と、１段目〜（ｎ＋１）段目のＤ型フリップフロップ２１の出力側にそれぞれ配置される反転機能付きの２入力のアンドゲート２４および通常の２入力のオアゲート２５と、を備えている。そして、この水平走査回路１１ａは、制御回路１４から供給されるリセット信号Ｒｅｓｅｔ、クロックＣｌｏｃｋ、および脈波測定用信号ＡＨによって動作し、信号Ｑ０〜Ｑｎを生成するようになっている。
【００２５】
次に、このような構成からなる水平走査回路１１ａの動作について、図４を参照して説明する。
図４に示すように、マウスモードが選択されている期間Ｔ１では、Ｄ型フリップフロップ２１の出力信号Ｑ０〜Ｑｎは、クロックＣｌｏｃｋにより右側にシフトする信号となる。このため、イメージセンサ２のｎ×ｎ個の受光素子の１つずつを選択でき、これにより、信号読み出し回路１３は、各受光素子ごとの信号電荷を読み出して処理することができる。
【００２６】
一方、脈波測定モードが選択されている期間Ｔ２では、脈波測定用信号ＡＨが「Ｈ」レベルとなるので、Ｄ型フリップフロップ２１の出力信号Ｑ０〜Ｑｎは、クロックＣｌｏｃｋにより動作せず、脈波測定用信号ＡＨと同様の「Ｈ」レベルの信号となる。このため、イメージセンサ２のｎ×ｎ個の受光素子の全部を一括して選択し、これにより、信号読み出し回路１３は、全ての受光素子の信号電荷を一括して読み出して一括処理することができる。
【００２７】
次に、図３に示す水平走査回路１１ａの他の例について、図５を参照して説明する。
図５に示す水平走査回路１１ｂは、信号Ｓ０〜Ｓｎによってオンオフ制御される（ｎ＋１）個のＭＯＳトランジスタ３１と、このＭＯＳトランジスタ３１に並列に接続されて脈波測定用信号ＡＨによってオンオフ制御される（ｎ＋１）個のＭＯＳトランジスタ３２と、から構成されている。そして、各ＭＯＳトランジスタ３１の一端から出力信号Ｑ０〜Ｑｎを出力するようになっている。
なお、水平走査回路１１ｂは、図示しないが、信号Ｓ０〜Ｓｎを生成するためのカウンタ、およびゲート回路を含んでいる。
【００２８】
次に、このような構成からなる水平走査回路１１ｂの動作について、図６を参照して説明する。
図６に示すように、マウスモードが選択されている期間Ｔ１では、ＭＯＳトランジスタ３１は信号Ｓ０〜Ｓｎによって順にオンされるので、ＭＯＳトランジスタ３１出力信号Ｑ０〜Ｑｎは、順にＨレベルの信号となる。このため、イメージセンサ２のｎ×ｎ個の受光素子の１つずつを選択し、これにより、信号読み出し回路１３は、各受光素子ごとの信号電荷を読み出して処理することができる。
【００２９】
一方、脈波測定モードが選択されている期間Ｔ２では、脈波測定用信号ＡＨが「Ｈ」レベルとなり、ＭＯＳトランジスタ３１は脈波測定用信号ＡＨで同時にオンされるので、ＭＯＳトランジスタ３１出力信号Ｑ０〜Ｑｎは、脈波測定用信号ＡＨと同様の「Ｈ」レベルの信号となる。このため、イメージセンサ２のｎ×ｎ個の受光素子の全部を選択し、これにより、信号読み出し回路１３は、全ての受光素子の信号電荷を一括して読み出して一括処理することができる。
【００３０】
次に、図２に示す水平走査回路１１と垂直走査回路１２の他の具体例について、図７を参照して説明する。ここで、水平走査回路１１と垂直走査回路１２は同一回路で構成できるので、図７では水平走査回路１１ｃの例で説明する。
この水平走査回路１１ｃは、（ｎ＋１）個のＤ型フリップフロップ２１などから構成され、マウスモードが選択されているときにはシフトレジスタとして機能し、信号Ｑ０〜Ｑｎによってイメージセンサ２のｎ×ｎ個の受光素子の１つずつ選択する。また、脈波測定モードが選択されているときにはシフトレジスタとしては機能せず、信号Ｑ０〜Ｑｎによってイメージセンサ２のｎ×ｎ個の受光素子のうちの数ライン分を選択する。
【００３１】
水平走査回路１１ｃをこのように構成するのは、以下の理由による。すなわち、図３に示す水平走査回路１１ｃでは、脈波測定モードが選択されている場合には、信号読み出し回路１３は、全ての受光素子の信号電荷を一括して読み出すが、このときに変換して得られる電圧信号が、後にＡ／ＤコンバータでＡ／Ｄ変換できる処理能力を越えるおそれがある。そこで、信号読み出し回路１３が、数ライン分の受光素子の信号電荷を一括して読み出して一括処理できるようにした。
このために、水平走査回路１１ｃは、図３に示す水平走査回路１１ａと基本的に同様に構成するが、その構成の差異は、図３における脈波測定用信号ＡＨに代えて、図７に示すように複数の脈波測定用信号ＡＨ１〜ＡＨｍを使用するようにした点である。
【００３２】
次に、このような構成からなる水平走査回路１１ｃの動作について、図８を参照して説明する。
図８に示すように、マウスモードが選択されている期間Ｔ１では、Ｄ型フリップフロップ２１の出力信号Ｑ０〜Ｑｎは、クロックＣｌｏｃｋにより右側にシフトする信号となる。このため、イメージセンサ２のｎ×ｎ個の受光素子の１つずつ選択し、これにより、信号読み出し回路１３は、各受光素子ごとの信号電荷を読み出して処理できる。
一方、脈波測定モードが選択されている期間Ｔ２では、脈波測定用信号ＡＨ１〜ＡＨｍが「Ｈ」レベルとなり、Ｄ型フリップフロップ２１の出力信号Ｑ０〜Ｑｎは、クロックＣｌｏｃｋにより動作せず、脈波測定用信号ＡＨ１〜ＡＨｍに応じた信号となる。このため、イメージセンサ２のｎ×ｎ個の受光素子のうちの２ライン単位で選択し、これにより、信号読み出し回路１３は、受光素子の２ライン単位ごとに一括した信号電荷を読み出して一括処理できる。
【００３３】
次に、図７に示す水平走査回路１１ｃの他の例について、図９を参照して説明する。
図９に示す水平走査回路１１ｄは、マウスモードが選択されているときには、ＭＯＳトランジスタ３１は信号Ｓ０〜Ｓｎによって順にオンさせるようにし、イメージセンサ２のｎ×ｎ個の受光素子の１つずつを選択する。また、脈波測定モードが選択されているときには、ＭＯＳトランジスタ３１は脈波測定用信号ＡＨ１〜ＡＨｍのよって複数単位でオンするようにし、イメージセンサ２のｎ×ｎ個の受光素子のうち複数ライン（この例では２ライン）単位を選択する。
このために、水平走査回路１１ｄは、図５に示す水平走査回路１１ｃと基本的に同様に構成するが、その構成の差異は、図５における脈波測定用信号ＡＨに代えて、図９に示すように複数の脈波測定用信号ＡＨ１〜ＡＨｍを使用するようにした点である。
【００３４】
次に、このような構成からなる水平走査回路１１ｄの動作について、図１０を参照して説明する。
図１０に示すように、マウスモードが選択されている期間Ｔ１では、ＭＯＳトランジスタ３１は信号Ｓ０〜Ｓｎによって順にオンされるので、ＭＯＳトランジスタ３１出力信号Ｑ０〜Ｑｎは、順にＨレベルの信号となる。このため、イメージセンサ２のｎ×ｎ個の受光素子の１つずつを選択し、これにより、信号読み出し回路１３は、各受光素子ごとの信号電荷を読み出して処理することができる。
【００３５】
一方、脈波測定モードが選択されている期間Ｔ２では、脈波測定用信号ＡＨ１〜ＡＨｍが順に「Ｈ」レベルとなるので、ＭＯＳトランジスタ３１出力信号Ｑ０〜Ｑｎは、脈波測定用信号ＡＨ１〜ＡＨｍに応じた信号となる。このため、イメージセンサ２のｎ×ｎ個の受光素子のうちの２ライン単位で選択し、これにより、信号読み出し回路１３は、受光素子の２ライン単位ごとに一括して信号電荷を読み出して一括処理できる。
【００３６】
以上説明したように、第１実施形態では、光学式マウスに脈波測定機能を搭載し、その脈波測定機能を選択した場合には、指先を利用して脈波を測定できるようにした。このため、第１実施形態によれば、安価に制作でき、一般家庭に普及させることができるので、日常生活において、その脈波に基づく各種の生体情報、例えば脈拍数や血管年齢などを気軽に認識できるようになる。
【００３７】
さらに詳述すると、第１実施形態に係る光学式マウスはパーソナルコンピュータに欠かせない入力装置であるため、いつでも、何処でも、誰でも、気軽に自己の生体情報を容易に確認することができる。このため、例えば突然死の前触れである、脈波揺らぎ停止や、過度のストレスによる血管の収縮などが、リアルタイムに確認でき、その予防に役立てることができる。
また、脈波形状には個体差があるので、計測した生体情報をパーソナルコンピュータのセキュリティに使用することも可能である。
【００３８】
（第２実施形態）
本発明の第２実施形態は、光学式センサを備えた光学式マウスであって、マウスモードが選択されているときには、従来と同様にマウスパッドからの反射光を検出することにより、マウスの移動方向およびその位置を検出するようにした。一方、脈波測定モードが選択されているときには、指先からの透過光を検出することにより、脈波を計測するようにした。
【００３９】
このため、本発明の第２実施形態は、第１実施形態における光学式反射センサ（図１参照）の構造を、図１１に示すような光学式センサの構造に置き換えたものである。
この第２実施形態の光学式センサは、図１１に示すように、発光部１と、これに対応する受光部であるイメージセンサ２とが、マウス本体４上に搭載されている。マウス本体４の下面側には、開口部７を有する凹部８が形成され、その凹部８の内部形状は指先の形状に対応するようになっている。すなわち、凹部８は、その内部に開口部７から指先５が挿入できるようになっている。
【００４０】
そして、マウスモードが選択されている場合には、発光部１からの光はマウスパッドで反射され、その反射光をイメージセンサ２で検出できるようになっている（図１１の破線参照）。一方、脈波測定モードが選択されている場合には、凹部８内に指先が挿入されるので、発光部１からの光は指先を透過し、その透過光をイメージセンサ２で検出できるようになっている（図１１の実線参照）。
【００４１】
なお、この第２実施形態は、図１１に示す光学式センサの構造以外の信号処理の構成は、第１実施形態の信号処理の構成と基本的に同様であるので、その構成の説明はここでは省略する。
以上説明した第２実施形態によれば、第１実施形態と同様の作用効果を実現することができる。
【００４２】
（その他）
なお、上記の実施形態では、イメージセンサの受光素子が（ｎ×ｎ）個の場合について説明したが、（ｎ×ｍ）個、あるいは（ｎ×ｎ＋ｘ）個の場合でも、実施することが可能である。
【図面の簡単な説明】
【００４３】
【図１】本発明の第１実施形態の光学式反射センサ部分の構造例を示す概略断面図である。
【図２】第１実施形態の構成を示すブロック図である。
【図３】図１に示す水平走査回路の具体例を示す回路図である。
【図４】その水平走査回路の各部の波形を示す波形図である。
【図５】図３に示す水平走査回路の他の具体例を示す回路図である。
【図６】その水平走査回路の各部の波形を示す波形図である。
【図７】図１に示す水平走査回路の他の具体例を示す回路図である。
【図８】その水平走査回路の各部の波形を示す波形図である。
【図９】図７に示す水平走査回路の他の具体例を示す回路図である。
【図１０】その水平走査回路の各部の波形を示す波形図である。
【図１１】本発明の第２実施形態の光学式センサ部分の構造例を示す概略断面図である。
【符号の説明】
【００４４】
１・・・発光部、２・・・イメージセンサ、４・・・マウス本体、５・・・指先、８・・・凹部、１１、１１ａ〜１１ｄ・・・水平走査回路、１２・・・垂直走査回路、１３・・・信号読み出し回路、１４・・・制御回路、１５・・・第１信号処理回路、１６・・・第２信号処理回路、１７・・・モード選択スイッチ
【図１】
2008204388.tif 000003
【図２】
2008204388.tif 000004
【図３】
2008204388.tif 000005
【図４】
2008204388.tif 000006
【図５】
2008204388.tif 000007
【図６】
2008204388.tif 000008
【図７】
2008204388.tif 000009
【図８】
2008204388.tif 000010
【図９】
2008204388.tif 000011
【図１０】
2008204388.tif 000012
【図１１】
2008204388.tif 000013